【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
楽曲の演奏中に行われるべき表情演奏と当該表情演奏が前記楽曲において行われるべきタイミングを当該楽曲に含まれるノートまたはノート群の発音開始時刻を基準として示す表情演奏リファレンスデータを取得する表情演奏リファレンスデータ取得手段と、
演奏者による前記楽曲の演奏音から当該演奏音のピッチまたは音量を示すピッチ音量データを生成するピッチ音量データ生成手段と、
前記ピッチ音量データ生成手段により生成された前記ピッチ音量データにより示されるピッチまたは音量の少なくとも一方の特性が、前記楽曲における前記表情演奏リファレンスデータにより示される所定時間範囲内において前記表情演奏リファレンスデータにより行われるべきであるとされる表情演奏の特性を示す場合、前記演奏者による前記楽曲の演奏に対する評価を向上させる演奏評価手段と
を備える演奏評価装置。
【請求項２】
任意数の任意の演奏者による前記楽曲の演奏音の各々に関し、当該演奏音のピッチまたは音量を示すピッチ音量データを取得するピッチ音量データ取得手段と、
前記ピッチ音量データ取得手段により取得された音量ピッチデータにより示されるピッチまたは音量の少なくとも一方の特性が、前記楽曲における任意のタイミングにおいて予め定められた１以上の表情演奏の特性のうちの一の特性を示す場合、当該表情演奏と、前記楽曲に含まれるノートまたはノート群の発音開始時刻を基準とする当該タイミングとの対を示す表情演奏出現データを生成する表情演奏出現データ生成手段と、
前記表情演奏出現データ生成手段により生成された任意数の表情演奏出現データに基づき、前記楽曲に含まれるノートまたはノート群の各々に関し、当該ノートまたはノート群の発音開始時刻を基準とするいずれのタイミングでいずれの表情演奏がいずれの頻度で出現しているかを特定し、当該特定した情報に従い前記表情演奏リファレンスデータを生成する表情演奏リファレンスデータ生成手段と
を備える請求項１に記載の演奏評価装置。
【請求項３】
表情演奏リファレンスデータを記憶する表情演奏リファレンスデータ記憶手段
を備え、
前記表情演奏リファレンスデータ生成手段によって生成された前記表情演奏リファレンスデータに基づき、前記表情演奏リファレンスデータ記憶手段に記憶される前記表情演奏リファレンスデータは書き換えられる
請求項２に記載の演奏評価装置。
【請求項４】
前記楽曲の模範となるピッチまたは音量を示す模範演奏リファレンスデータを取得する模範演奏リファレンスデータ取得手段
を備え、
前記演奏評価手段は、前記ピッチ音量データ生成手段により生成されたピッチ音量データにより示されるピッチと、前記模範演奏リファレンスデータにより示されるピッチとの比較の結果に基づき前記演奏者による前記楽曲の演奏に対する評価を行う
請求項１乃至３のいずれかに記載の演奏評価装置。
【請求項５】
前記演奏評価手段は、
前記ピッチ音量データ生成手段により生成されたピッチ音量データにより示されるピッチまたは音量と、前記模範演奏リファレンスデータにより示されるピッチまたは音量との比較の結果に基づき、前記演奏者による前記楽曲の演奏に関する第１の得点を求めると共に、
前記ピッチ音量データ生成手段により生成されたピッチ音量データにより示されるピッチまたは音量と、前記表情演奏リファレンスデータにより示されるピッチまたは音量との比較の結果に基づき、前記演奏者による前記楽曲の演奏に対する第２の得点を求め、
前記第１の得点および前記第２の得点に基づき、前記楽曲の演奏に対する演奏評価を行うことを特徴とする
請求項４に記載の演奏評価装置。
【請求項６】
前記楽曲の模範となるピッチを示す模範演奏リファレンスデータを取得する模範演奏リファレンスデータ取得手段
を備え、
前記演奏評価手段は、前記ピッチ音量データ生成手段により生成されたピッチ音量データにより示されるピッチと、前記模範演奏リファレンスデータにより示されるピッチとの比較の結果に基づき前記演奏者による前記楽曲の演奏に対する評価を行い、
前記ピッチ音量データ取得手段により取得されるピッチ音量データは、前記演奏評価手段により前記模範演奏リファレンスデータを用いて行われた評価の結果、または前記演奏評価手段と同様の手段を備える他機により前記模範演奏リファレンスデータと同様のデータを用いて行われた評価の結果を示す演奏評価データを伴い、
前記表情演奏リファレンスデータ生成手段は、前記ピッチ音量データ取得手段により取得されるピッチ音量データのうち所定の条件を満たす演奏評価データを伴うピッチ音量データを用いて前記表情演奏出現データ生成手段により生成された表情演奏出現データに基づき、前記表情演奏リファレンスデータを生成する
請求項２に記載の演奏評価装置。
【請求項７】
請求項１乃至６のいずれかに記載の演奏評価装置と、
楽曲の伴奏を指示する伴奏データを取得する伴奏データ取得手段と、
前記伴奏データの指示に従い伴奏の楽音を示す音信号を出力する音信号出力手段と
を備え、
前記ピッチ音量データ生成手段は、前記音信号出力手段から出力された音信号に従いスピーカから放音された伴奏に応じて前記演奏者により行われた前記楽曲の演奏音のピッチまたは音量を示すピッチ音量データを生成する
カラオケ装置。
【請求項８】
前記楽曲は歌唱曲であり、
前記歌唱曲の歌詞を示す歌詞データを取得する歌詞データ取得手段と、
前記歌詞データにより示される歌詞であって、前記音信号出力手段により現在出力されている音信号が示す伴奏とともに歌唱されるべき歌詞を示す画像信号を出力する画像信号出力手段と
を備える請求項７に記載のカラオケ装置。
【請求項９】
前記楽曲は楽器により演奏される楽曲であり、
前記楽曲の楽譜を示す楽譜データを取得する楽譜データ取得手段と、
前記楽譜データにより示される楽譜であって、前記音信号出力手段により現在出力されている音信号が示す伴奏とともに行われるべき演奏を指示する楽譜を示す画像信号を出力する画像信号出力手段と
を備える請求項７に記載のカラオケ装置。
【請求項１０】
任意数の任意の演奏者による楽曲の演奏音の各々に関し、前記楽曲に含まれるノートまたはノート群の発音開始時刻を基準とする一のタイミングにおいて一の表情演奏が出現したことを示す表情演奏出現データを取得する表情演奏出現データ取得手段と、
前記表情演奏出現データ取得手段により取得された任意数の表情演奏出現データに基づき、前記楽曲に含まれるノートまたはノート群の各々に関し、当該ノートまたはノート群の発音開始時刻を基準とするいずれのタイミングでいずれの表情演奏がいずれの頻度で出現しているかを特定し、当該特定した情報に従い、前記楽曲の演奏中に行われるべき表情演奏と当該表情演奏が前記楽曲において行われるべきタイミングを前記楽曲に含まれるノートまたはノート群の発音開始時刻を基準として示す表情演奏リファレンスデータを生成する表情演奏リファレンスデータ生成手段と、
前記表情演奏リファレンスデータ生成手段により生成された表情演奏リファレンスデータを演奏評価装置に送信する送信手段と
を備えるサーバ装置。
【手続補正２】
【補正対象書類名】明細書
【補正対象項目名】０００７
【補正方法】変更
【補正の内容】
【０００７】
上記課題を解決するため、本発明は、楽曲の演奏中に行われるべき表情演奏と当該表情演奏が前記楽曲において行われるべきタイミングを当該楽曲に含まれるノートまたはノート群の発音開始時刻を基準として示す表情演奏リファレンスデータを取得する表情演奏リファレンスデータ取得手段と、演奏者による前記楽曲の演奏音から当該演奏音のピッチまたは音量を示すピッチ音量データを生成するピッチ音量データ生成手段と、前記ピッチ音量データ生成手段により生成された前記ピッチ音量データにより示されるピッチまたは音量の少なくとも一方の特性が、前記楽曲における前記表情演奏リファレンスデータにより示される所定時間範囲内において前記表情演奏リファレンスデータにより行われるべきであるとされる表情演奏の特性を示す場合、前記演奏者による前記楽曲の演奏に対する評価を向上させる演奏評価手段とを備える演奏評価装置を提供する。